(57)【要約】【課題】  退避するレンズ群の厚みが厚い場合でも、光軸上を移動するレンズ群の間隔を最小限まで近接させることを可能とし、小型で、より薄く沈胴できるレンズ鏡胴を得る。【解決手段】  沈胴時に、所定のレンズ群を鏡胴部材内で、他のレンズ群の光軸と異なる位置に退避させるよう構成されたレンズ鏡胴において、他のレンズ群の光軸と異なる位置に退避する所定のレンズ群を保持する鏡枠は、沈胴時に像面側に移動する鏡胴部材に設けられた回動軸に軸支され、回動軸を中心に回動すると共に、回動軸に対し、摺動して移動するレンズ鏡胴とする。【選択図】        図４
2006234951.tif 000002
【特許請求の範囲】
【請求項１】
複数のレンズ群からなる撮像光学系と、前記撮像光学系を保持し、繰り出し及び沈胴を行うための鏡胴部材を有し、前記鏡胴部材の沈胴時には、前記複数のレンズ群のうち所定のレンズ群を鏡胴内で、他のレンズ群の光軸と異なる位置に退避させるよう構成されたレンズ鏡胴において、
他のレンズ群の光軸と異なる位置に退避する所定のレンズ群を保持する鏡枠は、沈胴時に像面側に移動する鏡胴部材に設けられた回動軸に軸支され、前記回動軸を中心に回動すると共に、前記回動軸に対し、摺動して移動することを特徴とするレンズ鏡胴。
【請求項２】
前記回動軸の設けられた鏡胴部材の、前記所定のレンズ群が退避する位置に相対する位置に凹部又は開口部を形成したことを特徴とする請求項１に記載のレンズ鏡胴。
【請求項３】
複数のレンズ群からなる撮像光学系と、前記撮像光学系により導かれた被写体光を光電変換する撮像素子と、繰り出し及び沈胴を行うための鏡胴部材を有し、前記鏡胴部材の沈胴時には、前記複数のレンズ群のうち所定のレンズ群を鏡胴内で、他のレンズ群の光軸と異なる位置に退避させるよう構成されたレンズ鏡胴において、
他のレンズ群の光軸と異なる位置に退避する所定のレンズ群を保持する鏡枠は、沈胴時に像面側に移動する鏡胴部材に設けられた回動軸に軸支され、前記回動軸を中心に回動して退避し、前記撮像素子側の鏡胴部材に、退避した前記所定のレンズ群が挿入される開口部を形成したことを特徴とするレンズ鏡胴。
【請求項４】
請求項１〜３のいずれか１項に記載のレンズ鏡胴を備えたことを特徴とするカメラ。
【発明の詳細な説明】
【技術分野】
【０００１】
本発明は、沈胴式のレンズ鏡胴、特にズームレンズ等の構成枚数の多い撮像光学系をより薄型に沈胴させるに好適なレンズ鏡胴に関するものである。
【背景技術】
【０００２】
従来より、カメラにおいては、撮影に使用しない時には携帯時の利便性を優れたものとするべく、撮像光学系を構成する光学要素であるレンズ群の間隔を縮めて薄型に収納する、所謂沈胴式のレンズ鏡胴を採用したカメラが一般的となっている。
【０００３】
更に近年では、沈胴時に、撮像光学系を構成する光学要素の間隔を光軸方向に縮めるのみならず、一部の光学要素を、他の光学要素の光軸と異なる位置に退避させて、薄く収納しようとするレンズ鏡胴が提案されている（例えば、特許文献１参照）。
【０００４】
更に、沈胴時に、撮像光学系を構成する一部のレンズ群を鏡胴外に退避させ、更に退避させたレンズ群を撮影光軸と平行な方向に移動させて、薄くしようとするレンズ鏡胴も知られている。
【特許文献１】特開２００３−３１５８６１号公報
【発明の開示】
【発明が解決しようとする課題】
【０００５】
上記特許文献１に記載のレンズ鏡胴においては、同文献の図２に示されているように、光軸方向にのみ移動する光学要素の間隔を縮めて沈胴し、撮像素子を保持している鏡胴部材であるＣＣＤ枠と、シャッタが組み付けられた鏡胴部材とで挟まれた空間に、光学要素を回動させて退避させ収納するようになっている。
【０００６】
しかしながら、光学要素を単に回動して退避させ、回動した光学要素と回動軸が形成されている鏡胴部材の相対位置関係を保ったまま、光軸方向に移動させて収納するものでは、回動して退避する光学要素の厚みが、鏡胴部材であるＣＣＤ枠と、シャッタが組み付けられた鏡胴部材とで挟まれた空間内に収まりきらない厚みとなる場合には、ＣＣＤ枠とシャッタが組み付けられた鏡胴部材の光軸方向の位置が、退避する光学要素の厚みによって決められ、それ以上、光軸上を移動する光学要素の間隔を縮めることができないという問題が発生し、沈胴時の薄型化の障害となる。
【０００７】
これを解消するため、光学要素の光軸方向の厚みを規制すると、退避する光学要素の厚みに制約を与えることになり、光学設計の自由度を阻害することになって、結像性能に影響を与えてしまうことになる。
【０００８】
一方、沈胴時に、撮像光学系を構成する一部のレンズ群を鏡胴外に退避させ、更に退避させたレンズ群を撮像光軸と平行な方向に移動させ収納するものは、退避させるレンズ群を鏡胴外に位置させるため、鏡胴外に退避するレンズ群のためのスペースを必要とし、光軸方向から見た正面面積が増加してしまう問題がある。
【０００９】
本発明は上記問題に鑑み、退避するレンズ群の厚みが厚い場合でも、光軸上を移動するレンズ群の間隔を最小限まで近接させることを可能とし、小型で、より薄く沈胴できるレンズ鏡胴を得ると共に、このレンズ鏡胴を備えることにより、携帯時は薄型で、撮影時には良好な画像が撮影できるカメラを得ることを目的とするものである。
【課題を解決するための手段】
【００１０】
上記の目的は、以下の構成により解決される。
【００１１】
１）  複数のレンズ群からなる撮像光学系と、前記撮像光学系を保持し、繰り出し及び沈胴を行うための鏡胴部材を有し、前記鏡胴部材の沈胴時には、前記複数のレンズ群のうち所定のレンズ群を鏡胴内で、他のレンズ群の光軸と異なる位置に退避させるよう構成されたレンズ鏡胴において、他のレンズ群の光軸と異なる位置に退避する所定のレンズ群を保持する鏡枠は、沈胴時に像面側に移動する鏡胴部材に設けられた回動軸に軸支され、前記回動軸を中心に回動すると共に、前記回動軸に対し、摺動して移動することを特徴とするレンズ鏡胴。
【００１２】
２）  前記回動軸の設けられた鏡胴部材の、前記所定のレンズ群が退避する位置に相対する位置に凹部又は開口部を形成した１）のレンズ鏡胴。
【００１３】
３）  複数のレンズ群からなる撮像光学系と、前記撮像光学系により導かれた被写体光を光電変換する撮像素子と、繰り出し及び沈胴を行うための鏡胴部材を有し、前記鏡胴部材の沈胴時には、前記複数のレンズ群のうち所定のレンズ群を鏡胴内で、他のレンズ群の光軸と異なる位置に退避させるよう構成されたレンズ鏡胴において、他のレンズ群の光軸と異なる位置に退避する所定のレンズ群を保持する鏡枠は、沈胴時に像面側に移動する鏡胴部材に設けられた回動軸に軸支され、前記回動軸を中心に回動して退避し、前記撮像素子側の鏡胴部材に、退避した前記所定のレンズ群が挿入される開口部を形成したことを特徴とするレンズ鏡胴。
【００１４】
４）  １）〜３）のいずれかのレンズ鏡胴を備えたカメラ。
【発明の効果】
【００１５】
上記１）〜３）のいずれかの発明によれば、退避するレンズ群の厚みが厚い場合でも、光軸上を移動するレンズ群を最小限の隙間のみを有して近接させることでき、沈胴時に、より薄く収納できるレンズ鏡胴を得ることが可能となる。
【００１６】
上記４）の発明によれば、上述の効果を有するレンズ鏡胴を備えることで、携帯時は、より薄型で、撮影時には良好な画像が撮影できるカメラを得ることが可能となる。
【発明を実施するための最良の形態】
【００１７】
以下、実施の形態により本発明を詳しく説明するが、本発明はこれに限定されるものではない。
【００１８】
図１は、本発明に係るレンズ鏡胴を備えたデジタルカメラの一例の外観図である。図１（ａ）はカメラ前面から見た斜視図、図１（ｂ）はカメラ背面から見た斜視図である。
【００１９】
図１（ａ）において、８１はレンズ鏡胴であり、このレンズ鏡胴８１がカメラより突出した状態を示している。レンズ鏡胴８１は、複数のレンズ群からなるズーム撮像光学系を内包し撮影時は図示のように繰り出され、使用しないときは沈胴するようになっている。８２はファインダ窓、８３はレリーズ釦、８４はフラッシュ発光部、８６はマイク、８７はストラップ取り付け部、８８は外部機器との接続端子（例えばＵＳＢ端子）である。
【００２０】
レリーズ釦８３はその１段の押し込みによりカメラの撮影準備動作、即ち焦点合わせ動作や測光動作が行われ、その２段の押し込みにより撮影露光動作が行われる。
【００２１】
図１（ｂ）において、９１はズームファインダのファインダ接眼部、９２は赤と緑の表示ランプであり、ＡＦやＡＥの情報をスイッチＳ１がＯＮされた時、点灯もしくは点滅により撮影者に表示するものである。９３はズーム釦であり、ズームアップ、ズームダウンをおこなう釦である。９４はスピーカであり、マイク８６で録音した音声の再生や、レリーズ音等を発するものである。９５はメニュー／セット釦、９６は選択釦で４方向スイッチであり、１００は画像表示部であり画像やその他文字情報等を表示する。メニュー／セット釦９５で、画像表示部１００上に各種のメニューを表示させ、選択釦９６で選択し、メニュー／セット釦９５で確定させる機能を有している。９７は再生釦で、撮影した画像の再生をおこなう釦である。９８はディスプレイ釦で、画像表示部１００に表示された画像やその他文字情報の表示や非表示を選択する釦である。９９は消去釦で、撮影記録した画像の消去をおこなう釦である。１０１は三脚穴、１０２は電池／カード蓋である。電池／カード蓋１０２の内部には、本カメラの電源を供給する電池と、撮影した画像を記録するカード型のリムーバブルメモリが装填されるようになっている。
【００２２】
以下に、レンズ鏡胴８１を、より詳細に説明する。
【００２３】
（第１の実施の形態）
本発明の第１の実施の形態に係るレンズ鏡胴８１について、説明する。
【００２４】
図２は、第１の実施の形態に係るレンズ鏡胴８１のワイド時の状態を示す概略断面図である。
【００２５】
同図において、Ｏは光軸であり、１は第１レンズ群、２は第２レンズ群、３は第３レンズ群、４は光学フィルタであり、赤外光カットフィルタとオプチカルローパスフィルタを積層したフィルタである。これらにより、撮像光学系が構成されている。５は撮像素子である。
【００２６】
１１は第１レンズ群鏡枠であり、第１レンズ群１を保持し、前筒２１に保持されている。１２は第２レンズ群鏡枠であり、第２レンズ群２を保持し、この第２レンズ群鏡枠１２は、第２レンズ群移動鏡枠１６に保持されると共に、回動して光軸Ｏから退避可能に構成されている。１４は絞り及び／又はシャッタユニットであり、第２レンズ群移動鏡枠１６に保持されている。１３は第３レンズ群鏡枠であり、第３レンズ群３を保持し、図示していないステッピングモータにより光軸Ｏ方向に移動可能に構成されている。第３レンズ群鏡枠１３は、独立して移動が可能であり、これにより第３レンズ群３を移動させてフォーカシングを行うことができる。１５は地板であり、光学フィルタ４、撮像素子５を保持している。
【００２７】
次いで、レンズ鏡胴８１の動作について説明する。
【００２８】
同図において、地板１５には固定胴２４が組み付けられている。この固定胴２４には、内面にカム溝２４ｃが形成されている。２３は中間胴であり、図示していないモータ及び減速ギア列と柱状ギア３６を介して、中間胴駆動ギア３５により回転させられる。中間胴２３は、この回転により、中間胴２３に植設されたカムピン２３ｐが、固定胴２４に形成されたカム溝２４ｃに案内されて光軸Ｏ方向の移動を行うようになっている。
【００２９】
案内リング３３は固定胴２４に形成された直進ガイド部に係合しており、光軸Ｏ方向への直進移動が可能になされ、中間胴駆動ギア３５を保持しつつ、中間胴２３の光軸Ｏ方向への移動に伴って、光軸Ｏ方向に直進移動する。この案内リング３３には、カム溝と直進ガイド部が形成されている。
【００３０】
カム筒２２は、中間胴２３及び案内リング３３に係合するカムピン２２ｐが植設されており、カムピン２２ｐの係合する中間胴２３の回転によりカム筒２２も回転し、カムピン２２ｐの係合する案内リング３３に形成されたカム溝に案内されて光軸Ｏ方向の移動を行うようになっている。即ち、カムピン２２ｐは、中間胴２３の光軸と平行な方向に形成されたキー溝と、案内リング３３に形成されたカム溝に係合している。カム筒２２の内面には、前筒２１及び第２レンズ群移動鏡枠１６をそれぞれ案内するカム溝が形成されている。
【００３１】
直進ガイド３２Ａは、案内リング３３に形成された直進ガイド部に係合しており、光軸Ｏ方向への直進移動が可能になされ、カム筒２２の光軸Ｏ方向への移動に伴って、光軸Ｏ方向に直進移動する。化粧筒３２Ｂも、案内リング３３に形成された直進ガイド部に係合しており、光軸Ｏ方向への直進移動が可能になされ、カム筒２２の光軸Ｏ方向への移動に伴って、光軸Ｏ方向に直進移動する。
【００３２】
前筒２１は、カム筒２２に形成された一方のカム溝に係合するカムピン２１ｐが植設されていると共に、直進ガイド３２Ａに係合している。また、第２レンズ群移動鏡枠１６は、カム筒２２に形成された他方のカム溝に係合するカムピン２２ｐが形成されていると共に、直進ガイド３２Ａに係合している。
【００３３】
これにより、カム筒２２の回転により、前筒２１及び第２レンズ群移動鏡枠１６は、それぞれに係合するカム溝に案内され、光軸Ｏ方向に直進移動させられ、前筒２１に保持された第１レンズ群１及び第２レンズ群移動鏡枠１６に保持された第２レンズ群２の、間隔を変更することでズーミングを行うことができる。
【００３４】
以上が、レンズ鏡胴８１の概略の動作である。
【００３５】
図３は、第１の実施の形態に係るレンズ鏡胴８１のテレ時の状態を示す概略断面図である。以下の図においては、説明の重複を避けるため、同部材には同符号を付与して説明する。
【００３６】
同図に示すレンズ鏡胴８１のテレの状態へは、図２に示すワイドの状態から、図示していないモータ及び減速ギア列と柱状ギア３６を介して、中間胴駆動ギア３５を回転させることにより、中間胴２３を更に回転させることで行われる。
【００３７】
中間胴２３の回転により、カム筒２２が回転させられ、前筒２１及び第２レンズ群移動鏡枠１６は、それぞれに係合するカム溝に案内され、前筒２１に保持された第１レンズ群１及び第２レンズ群移動鏡枠１６に保持された第２レンズ群２の、間隔を変更してテレ状態となる。
【００３８】
なお、図２に示すワイド状態と図３に示すテレ状態の間で停止させれば、ワイドとテレの間の焦点距離となるように構成されているのは勿論である。
【００３９】
図４は、第１の実施の形態に係るレンズ鏡胴８１の沈胴時の状態を示す概略断面図である。
【００４０】
同図に示すレンズ鏡胴８１の沈胴の状態へは、まず図２に示すワイドの状態から、第３レンズ群鏡枠１３を地板１５側に移動させた後、図示していないモータ及び減速ギア列と柱状ギア３６を介して、中間胴駆動ギア３５を逆方向に回転させることにより、中間胴２３を逆回転させることで行われる。
【００４１】
中間胴２３の逆回転により、カム筒２２が逆回転させられ、前筒２１及び第２レンズ群移動鏡枠１６は、それぞれに係合するカム溝に案内されて接近すると共に、中間胴２３及びカム筒２２は、地板１５側に移動する。
【００４２】
この時、第２レンズ群移動鏡枠１６に保持されている第２レンズ群鏡枠１２は、後に詳述する回動軸に軸支されており、この回動軸を中心に回動すると共に、回動軸に対し、摺動して移動するようになっている。これにより、第２レンズ群鏡枠１２は光軸Ｏから退避し、更に、回動軸に対し摺動移動することで、第２レンズ群移動鏡枠１６に形成された凹部１６ｈに入り込んで収納される。
【００４３】
この後、中間胴２３及びカム筒２２は、更に地板１５側に移動し、第３レンズ群３、第２レンズ群移動鏡枠１６、第１レンズ群１を最少の隙間のみを有して近接させると共に、バリア３８を閉じ状態にし、図示の沈胴状態となる。
【００４４】
図５は、第２レンズ群鏡枠１２の退避と摺動の機構の一例を示す斜視図である。同図は、第２レンズ群鏡枠１２を撮像素子側から見た図であり、レンズ鏡胴が繰り出され、第２レンズ群２が光軸Ｏ上に位置して撮影可能な状態を示している。
【００４５】
同図に示すように、第２レンズ群移動鏡枠１６には、回動軸４１が植設され、第２レンズ群鏡枠１２に形成された筒状部１２ｔが挿入されている。この筒状部１２ｔと第２レンズ群移動鏡枠１６の間には、ねじりコイルバネ４２が組み付けられ、回動軸４１には筒状部１２ｔの抜け止め４３が組み付けられている。
【００４６】
このねじりコイルバネ４２は、コイル部で第２レンズ群鏡枠１２に形成された筒状部１２ｔを図示矢印Ａ方向に付勢しつつ、両端部で第２レンズ群鏡枠１２の腕部を図示矢印Ｂ方向に付勢している。第２レンズ群鏡枠１２に形成された突起部１２ｓは、第２レンズ群移動鏡枠１６に形成されたストッパピン１６ｓに当接して第２レンズ群鏡枠１２、即ち第２レンズ群２を光軸Ｏ上に位置させている。１５ｃは地板１５に形成されたカム板であり、レンズ鏡胴が繰り出され撮影可能な状態では、第２レンズ群鏡枠１２とは離間した状態となっている。
【００４７】
この状態から、レンズ鏡胴を沈胴方向に駆動すると第２レンズ群移動鏡枠１６は、図示上方へ移動することとなり、カム板１５ｃに形成された傾斜部１５ｋと筒状部１２ｔに形成されたピン１２ｐが当接し、傾斜部１５ｋの傾斜に沿って、筒状部１２ｔは回動させられる。これにより、第２レンズ群鏡枠１２は回動軸４１を中心にして、ねじりコイルバネ４２の付勢力に抗して、図示矢印Ｂと逆の方向に回動させられ、凹部１６ｈ上に位置することとなる。
【００４８】
更に、第２レンズ群移動鏡枠１６を、図示上方へ移動させることで、カム板１５ｃに形成された直線部１５ｐとピン１２ｐが当接するようになり、第２レンズ群鏡枠１２は、この直線部１５ｐの押圧により、ねじりコイルバネ４２の付勢力に抗して、回動軸４１を図示矢印Ａと逆の方向に摺動移動して凹部１６ｈに入り込んで収納される。
【００４９】
即ち、第２レンズ群鏡枠１２は、沈胴時に像面側に移動する鏡胴部材である第２レンズ群移動鏡枠１６に設けられた回動軸４１に軸支され、回動軸４１を中心に回動すると共に、回動軸４１に対し、摺動して移動し、第２レンズ群移動鏡枠１６に形成された凹部１６ｈに入り込んだ状態となる。
【００５０】
このようにしてレンズ鏡胴８１は、図４に示す沈胴状態となる。
【００５１】
以上説明したように、回動させるだけでは沈胴時に他の鏡胴部材と干渉して、短縮化の妨げとなる場合であっても、所定のレンズ群を他のレンズ群の光軸と異なる位置に回動退避させると共に退避位置で回動軸に沿ってレンズ群を摺動移動させることにより、図４に示すように、光軸上を移動するレンズ群を最少の隙間のみを有して近接させることができ、小型で、より薄く沈胴できるレンズ鏡胴を得ることが可能となる。
【００５２】
図６は、第２レンズ群鏡枠１２の退避と摺動の機構の他の例を示す斜視図である。同図は、機構部のみを示し周辺の部材は省略したものである。
【００５３】
同図において、１６ｃは第２レンズ群移動鏡枠に形成された半円筒状部であり、半円筒状部１６ｃにはカム溝１６ｍが形成されている。このカム溝１６ｍには、第２レンズ群鏡枠１２と一体的に形成されたピン１２ｐが係合している。なお、図５に示したものと同様に第２レンズ群移動鏡枠には、回動軸４１が植設され、第２レンズ群鏡枠１２に形成された筒状部１２ｔが挿入されている。この筒状部１２ｔと第２レンズ群移動鏡枠の間には、ねじりコイルバネが組み付けられ、回動軸４１には筒状部１２ｔの抜け止めが組み付けられている。
【００５４】
ねじりコイルバネは、コイル部で第２レンズ群鏡枠１２に形成された筒状部１２ｔを図示矢印Ａ方向に付勢しつつ、両端部で第２レンズ群鏡枠１２の腕部を図示矢印Ｂ方向に付勢している。１５ｂは地板に形成された棒状の部材であり、レンズ鏡胴が繰り出され撮影可能な状態では、第２レンズ群鏡枠１２とは離間した状態となっている。
【００５５】
この状態から、レンズ鏡胴を沈胴方向に駆動すると第２レンズ群鏡枠１２は、図示上方へ移動することとなり地板に形成された棒状の部材１５ｂと筒状部１２ｔが当接し、筒状部１２ｔが押圧される。これにより、筒状部１２ｔに形成されたピン１２ｐがカム溝１６ｍに案内され、第２レンズ群鏡枠１２は、ねじりコイルバネの付勢力に抗して、回動軸４１を中心に回動しつつ、回動軸４１に沿って摺動移動する。
【００５６】
このような機構は、撮影時に第２レンズ群鏡枠１２と第２レンズ群鏡枠１２を保持している第２レンズ群移動鏡枠との間隔が大きいものの場合に有効である。
【００５７】
図７は、第１の実施の形態に係るレンズ鏡胴８１の沈胴時のその他の構成を示す概略断面図である。
【００５８】
同図に示すレンズ鏡胴８１は、図１〜図４における第２レンズ群移動鏡枠１６に形成されていた、第２レンズ群鏡枠１２が入り込む凹部を、開口部１６ｋとしたものであり、その他は同様に構成したものである。
【００５９】
このように、第２レンズ群移動鏡枠１６の第２レンズ群鏡枠１２が退避して摺動移動する位置に開口部１６ｋを形成し、第２レンズ群鏡枠１２を挿入して沈胴することでも、第２レンズ群２及び第２レンズ群鏡枠１２が図７に示すように、相対的に厚く構成されている場合でも、光軸上を移動するレンズ群を最少の隙間のみを有して近接させることができ、小型で、より薄く沈胴できるレンズ鏡胴を得ることが可能となる。
【００６０】
なお、第２レンズ群移動鏡枠１６に開口部１６ｋを形成した場合には、この開口部１６ｋを開状態と閉状態とに切り替える開閉部材を設け、沈胴時には開状態として第２レンズ群鏡枠１２を挿入させ、繰り出された撮影状態では閉状態とすることが好ましい。
【００６１】
（第２の実施の形態）
次に、本発明の第２の実施の形態に係るレンズ鏡胴８１について説明する。
【００６２】
図８は、第２の実施の形態に係るレンズ鏡胴８１のワイド時の状態を示す概略断面図である。同図に示すレンズ鏡胴８１の中間胴２３、カム筒２２、前筒２１等の概略の動作については、図２〜図４で説明したものと同様であるため、異なる部分についてのみ説明する。
【００６３】
同図において、第２レンズ群移動鏡枠１６に保持されている第２レンズ群鏡枠１２は、回動軸に軸支されており、この回動軸を中心に回動し、光軸Ｏから退避するように構成されている。一方、光学フィルタ４及び撮像素子５を保持している地板１５には、第２レンズ群鏡枠１２が光軸Ｏから退避した位置と対応する位置に開口部１５ｈが形成されている。
【００６４】
図９は、第２の実施の形態に係るレンズ鏡胴８１の沈胴時の状態を示す概略断面図である。
【００６５】
同図に示すレンズ鏡胴８１の沈胴の状態へは、まず図８に示すワイドの状態から、第３レンズ群鏡枠１３を地板１５側に移動させた後、図示していないモータ及び減速ギア列と柱状ギア３６を介して、中間胴駆動ギア３５を逆方向に回転させることにより、中間胴２３を逆回転させることで行われる。
【００６６】
中間胴２３の逆回転により、カム筒２２が逆回転させられ、前筒２１及び第２レンズ群移動鏡枠１６は、それぞれに係合するカム溝に案内されて接近すると共に、中間胴２３及びカム筒２２は、地板１５側に移動する。
【００６７】
この時、第２レンズ群移動鏡枠１６に保持されている第２レンズ群鏡枠１２は、後に詳述する回動軸に軸支されており、この回動軸を中心に回動するようになっている。これにより、第２レンズ群鏡枠１２は光軸Ｏから退避し、地板１５に形成された開口部１５ｈに相対した状態となる。
【００６８】
この後、中間胴２３及びカム筒２２は、更に地板１５側に移動し、第３レンズ群３、第２レンズ群移動鏡枠１６、第１レンズ群１を極限まで近接させる。この時、第２レンズ群鏡枠１２は地板１５に形成された開口部１５ｈに入り込んだ状態となると共に、バリア３８を閉じ状態にし、図示の沈胴状態となる。
【００６９】
図１０は、図８に示すレンズ鏡胴８１の第２レンズ群鏡枠１２の退避の機構の一例を示す斜視図である。同図は、第２レンズ群鏡枠１２を撮像素子側から見た図であり、レンズ鏡胴が繰り出され、第２レンズ群２が光軸Ｏ上に位置して撮影可能な状態を示している。
【００７０】
同図に示すように、第２レンズ群移動鏡枠１６には、回動軸４１が植設され、第２レンズ群鏡枠１２に形成された筒状部１２ｔが挿入されている。この筒状部１２ｔと第２レンズ群移動鏡枠１６の間には、ねじりコイルバネ４２が組み付けられ、回動軸４１には筒状部１２ｔの抜け止め４３が組み付けられている。
【００７１】
このねじりコイルバネ４２は、コイル部で第２レンズ群鏡枠１２に形成された筒状部１２ｔを図示矢印Ａ方向に付勢しつつ、両端部で第２レンズ群鏡枠１２の腕部を図示矢印Ｂ方向に付勢している。第２レンズ群鏡枠１２に形成された突起部１２ｓは、第２レンズ群移動鏡枠１６に形成されたストッパピン１６ｓに当接して第２レンズ群鏡枠１２、即ち第２レンズ群２を光軸Ｏ上に位置させている。１５ｃは地板１５に形成されたカム板であり、レンズ鏡胴が繰り出され撮影可能な状態では、第２レンズ群鏡枠１２とは離間した状態となっている。また、第２レンズ群鏡枠１２の腕部には、その先端が第２レンズ群移動鏡枠１６と微小な隙間を有したボス１２ｆが形成されている。
【００７２】
この状態から、レンズ鏡胴を沈胴方向に駆動すると第２レンズ群移動鏡枠１６は、図示上方へ移動することとなり、カム板１５ｃに形成された傾斜部１５ｋと筒状部１２ｔに形成されたピン１２ｐが当接し、傾斜部１５ｋの傾斜に沿って、筒状部１２ｔは回動させられる。これにより、第２レンズ群鏡枠１２は回動軸４１を中心にして、ねじりコイルバネ４２の付勢力に抗して、図示矢印Ｂと逆の方向に回動させられ、図示していない地板１５に形成された開口部１５ｈに相対した位置になる。
【００７３】
この後、第２レンズ群移動鏡枠１６を、更に地板１５側に移動させても、ピン１２ｐは光軸Ｏと略平行に形成された１５ｆに当接した状態となる。このようにしてレンズ鏡胴８１は、図９に示すように、第２レンズ群鏡枠１２が開口部１５ｈに挿入された沈胴状態となる。
【００７４】
以上説明したように、撮像素子側の鏡胴部材に、退避したレンズ群が挿入される開口部を形成し、沈胴時に、開口部へ他のレンズ群の光軸と異なる位置に回動退避したレンズ群を挿入するように構成することでも、光軸上を移動するレンズ群を最少の隙間のみを有して近接させることができ、小型で、より薄く沈胴できるレンズ鏡胴を得ることが可能となる。
【００７５】
なお、上記の第１及び第２の実施の形態においては、３群ズームレンズを例に取り説明したが、これに限るものでなく、２群ズームレンズや、４群以上で構成されたズームレンズであってもよいのは勿論である。
【００７６】
また、退避するレンズ群を、回動させると共に、回動軸を摺動して移動させ、更に、撮像素子側に配置された鏡胴部材に開口部を形成し、退避且つ摺動移動したレンズ群が挿入されるよう構成してもよい。
【図面の簡単な説明】
【００７７】
【図１】本発明に係るレンズ鏡胴を備えたデジタルカメラの一例の外観図である。
【図２】第１の実施の形態に係るレンズ鏡胴のワイド時の状態を示す概略断面図である。
【図３】第１の実施の形態に係るレンズ鏡胴のテレ時の状態を示す概略断面図である。
【図４】第１の実施の形態に係るレンズ鏡胴の沈胴時の状態を示す概略断面図である。
【図５】第２レンズ群鏡枠の退避と摺動の機構の一例を示す斜視図である。
【図６】第２レンズ群鏡枠の退避と摺動の機構の他の例を示す斜視図である。
【図７】第１の実施の形態に係るレンズ鏡胴の沈胴時のその他の構成を示す概略断面図である。
【図８】第２の実施の形態に係るレンズ鏡胴のワイド時の状態を示す概略断面図である。
【図９】第２の実施の形態に係るレンズ鏡胴の沈胴時の状態を示す概略断面図である。
【図１０】図８に示すレンズ鏡胴の第２レンズ群鏡枠の退避の機構の一例を示す斜視図である。
【符号の説明】
【００７８】
１  第１レンズ群
２  第２レンズ群
３  第３レンズ群
４  光学フィルタ
５  撮像素子
１１  第１レンズ群鏡枠
１２  第２レンズ群鏡枠
１３  第３レンズ群鏡枠
１４  絞り及び／又はシャッタユニット
１５  地板
１６  第２レンズ群移動鏡枠
２１  前筒
２２  カムリング
２３  中間胴
２４  固定胴
３３  案内リング
３５  カム筒駆動ギア
３６  柱状ギア
４１  回動軸
８１  レンズ鏡胴
【図１】
2006234951.tif 000003
【図２】
2006234951.tif 000004
【図３】
2006234951.tif 000005
【図４】
2006234951.tif 000006
【図５】
2006234951.tif 000007
【図６】
2006234951.tif 000008
【図７】
2006234951.tif 000009
【図８】
2006234951.tif 000010
【図９】
2006234951.tif 000011
【図１０】
2006234951.tif 000012